(57)【要約】  携帯端末（５）は、入力されるオーディオ信号を子機へ配信する複数のＡＶレシーバ（２Ａ、２Ｂ）の関連性を示す関連情報を取得し、ＡＶレシーバ（２Ａ、２Ｂ）のうち、一つの選択を受け付ける。関連情報に基づいて、選択されたＡＶレシーバ（２Ａ）に関連するＡＶレシーバ（２Ｂ）を特定する。ＡＶレシーバ（２Ａ、２Ｂ）それぞれに対し、オーディオ信号に含まれる旋律データの配信先と、旋律データ及び伴奏データの両方の配信先となるスピーカ（２１〜２６）を指定する配信先指定画面を表示する。
2017221440.tif 000002
【特許請求の範囲】
【請求項１】
入力されるコンテンツを子機へ配信する複数の親機の関連性を示す関連情報を取得する関連情報取得部と、
前記複数の親機のうち、一つの選択を受け付ける選択受付部と、
前記関連情報に基づいて、前記選択受付部により選択される選択親機に関連する関連親機を特定する関連親機特定部と、
前記選択親機と前記関連親機とのそれぞれに対し、コンテンツの配信先子機を指定する配信先指定画面を表示する配信先指定画面表示部と、
を備える、配信先指定装置。
【請求項２】
前記配信先指定画面表示部は、前記複数の親機のうち各親機に対する前記配信先指定画面を順に表示する、
請求項１に記載の配信先指定装置。
【請求項３】
前記配信先指定画面表示部は、前記複数の親機のうち各親機に対する前記配信先子機の指定が完了した後に、順に次の親機の配信先指定画面に移行する、
請求項１または請求項２に記載の配信先指定装置。
【請求項４】
前記複数の親機のそれぞれに対して、入力先を変更する指示情報を送信する、指示情報送信部を備えた、
請求項１乃至請求項３のいずれかに記載の配信先指定装置。
【請求項５】
前記指示情報送信部は、前記複数の親機のうち各親機に対する前記配信先子機の指定が完了した場合に、前記指示情報を送信する、
請求項４に記載の配信先指定装置。
【請求項６】
前記選択受付部は、前記配信先指定画面への移行を指示する移行操作を受け付け、
前記移行操作を受け付けた場合に、所定の規則にしたがって、前記複数の親機のうちいずれか一つの親機の選択を受け付ける、
請求項１乃至請求項５のいずれかに記載の配信先指定装置。
【請求項７】
前記選択受付部は、前記配信先指定画面において、前記選択親機と前記関連親機それぞれのコンテンツの配信先子機の選択を受け付け、
前記選択親機に対し、前記選択受付部により選択される配信先子機へのコンテンツの配信を指示する選択親機指示部と、
前記関連親機に対し、前記選択受付部により選択される配信先子機へのコンテンツの配信を指示する関連親機指示部と、
をさらに備える、請求項１乃至請求項６のいずれかに記載の配信先指定装置。
【請求項８】
前記選択親機指示部は、第１コンテンツの配信を、前記選択親機に対して指示し、
前記関連親機指示部は、第２コンテンツの配信を、前記関連親機に対して指示する、
請求項７に記載の配信先指定装置。
【請求項９】
前記第１コンテンツは、伴奏情報を含み、
前記第２コンテンツは、旋律情報と前記伴奏情報とを含む、
請求項８に記載の配信先指定装置。
【請求項１０】
前記選択親機に設定され得る子機情報を取得する第１子機情報取得部と、
前記関連親機に設定され得る子機情報を取得する第２子機情報取得部と、
前記配信先指定画面に、前記第１子機情報取得部と前記第２子機情報取得部とが取得する子機情報を、前記選択親機と前記関連親機とに分類して表示する子機表示部と、
を備える請求項１から請求項９の何れかに記載の配信先指定装置。
【請求項１１】
前記第１子機情報取得部と前記第２子機情報取得部とが取得する子機情報が同一である場合、同一の子機情報を、前記選択親機及び前記関連親機のコンテンツの配信先子機に同時に指定することを禁止する禁止部、
を備える請求項１０に記載の配信先指定装置。
【請求項１２】
前記子機情報は、子機の設置場所情報を含む、
請求項１０又は請求項１１に記載の配信先指定装置。
【請求項１３】
前記配信先指定画面表示部は、前記選択親機と、前記関連親機とに入力するコンテンツ内容を表示する、
請求項１から請求項１２の何れかに記載の配信先指定装置。
【請求項１４】
前記選択親機と、前記関連親機とに入力するコンテンツは、自動演奏装置から出力される、
請求項１から請求項１３の何れかに記載の配信先指定装置。
【請求項１５】
入力されるコンテンツを子機へ配信する複数の親機の関連性を示す関連情報を取得する関連情報取得ステップと、
前記複数の親機のうち、一つの選択を受け付ける選択受付ステップと、
前記関連情報に基づいて、前記選択受付ステップで選択される選択親機に関連する関連親機を特定する関連親機特定ステップと、
前記選択親機と前記関連親機とのそれぞれに対し、コンテンツの配信先子機を指定する配信先指定画面を表示する配信先指定画面表示ステップと、
を備える、配信先指定方法。
【請求項１６】
前記配信先指定画面表示ステップは、前記複数の親機のうち各親機に対する前記配信先指定画面を順に表示する、
請求項１５に記載の配信先指定方法。
【請求項１７】
コンピュータを、
入力されるコンテンツを子機へ配信する複数の親機の関連性を示す関連情報を取得する関連情報取得部と、
前記関連情報に基づいて、前記複数の親機から選択された一つの選択親機に関連する関連親機を特定する関連親機特定部と、
前記選択親機と前記関連親機とのそれぞれに対し、コンテンツの配信先子機を指定する配信先指定画面を表示する配信先指定画面表示部と、
して機能させる、配信先指定プログラム。
【発明の詳細な説明】
【技術分野】
【０００１】
本発明は、ネットワークを介して配信するコンテンツの配信先を指定する配信先指定装置、配信先指定方法及び配信先指定プログラムに関する。
【背景技術】
【０００２】
特許文献１には、無線ＬＡＮ（Local Area Network）等のネットワークに接続された複数の端末装置間でコンテンツを同期させて共有することができる技術が開示されている。特許文献１では、一の端末装置は、コンテンツの再生中に他の端末装置とタグ付けされると、その端末装置に再生中のコンテンツを伝送する。これにより、端末装置は、複数の端末装置と同期化したコンテンツを共有できる。
【先行技術文献】
【特許文献】
【０００３】
【特許文献１】特開２０１４−１２８０３２
【発明の概要】
【発明が解決しようとする課題】
【０００４】
ところで、ネットワークに接続される端末装置の中には、親機が複数となる場合があり、各親機からそれぞれの子機に対してコンテンツを配信する構成もある。この構成では、各親機は、同じ装置から配信された関連コンテンツを、それぞれの子機へと配信する。この場合、特許文献１の技術を用いると、コンテンツを再生中の端末装置が、どの端末装置と同期し、また、どの子機へコンテンツが配信されるかを把握することが難しい。端末装置の数が多くなるにつれ、コンテンツの配信先の把握はより困難となる。【０００５】
そこで、本発明の目的は、コンテンツの配信先を容易に把握できる配信先指定装置、配信先指定方法及び配信先指定プログラムを提供することにある。
【課題を解決するための手段】
【０００６】
本発明に係る配信先指定装置は、関連情報取得部と、選択受付部と、関連親機特定部と、配信先指定画面表示部と、を備える。関連情報取得部は、入力されるコンテンツを子機へ配信する複数の親機の関連性を示す関連情報を取得する。選択受付部は、前記複数の親機のうち、一つの選択を受け付ける。関連親機特定部は、前記関連情報に基づいて、前記選択受付部により選択される選択親機に関連する関連親機を特定する。配信先指定画面表示部は、前記選択親機と前記関連親機とのそれぞれに対し、コンテンツの配信先子機を指定する配信先指定画面を表示する。
【発明の効果】
【０００７】
本発明によれば、複数の親機が関連する場合、ユーザが一の親機を選択すれば、それに関連する親機が特定される。そして、それらの親機に対して、配信先子機を指定する配信先指定画面が表示されることため、ユーザは、親機に入力されるコンテンツが、どの子機に配信されるかの配信先の把握が容易となる。
【図面の簡単な説明】
【０００８】
【図１】図１は、実施形態に係るオーディオシステムの構成を示す図である。
【図２】図２は、コンテンツ再生装置の主要構成を示すブロック図である。
【図３】図３（Ａ）、図３（Ｂ）、図３（Ｃ）及び図３（Ｄ）は、配信先指定画面の一例を示す図である。
【図４】図４は、携帯端末が実行する配信先指定処理を示すフローチャートである。
【図５】図５（Ａ）、図５（Ｂ）、図５（Ｃ）、図５（Ｄ）、図５（Ｅ）及び図３（Ｆ）は、配信先指定画面の一例を示す図である。
【図６】図６（Ａ）は、関連付された親機の配信先指定画面に移行するための専用ボタンの例を示す図であり、図６（Ｂ）および図６（Ｃ）は、配信先指定画面の一例を示す図である。
【図７】図７（Ａ）、図７（Ｂ）及び図７（Ｃ）は、配信先指定画面の一例を示す図であり、図７（Ｄ）は、確認画面を示す図である。
【図８】図８（Ａ）、図８（Ｂ）及び図８（Ｃ）は、配信先指定画面の一例を示す図である。
【図９】図９（Ａ）は、オーディオシステムの構成を示すブロック図であり、図９（Ｂ）は、ＡＶレシーバ２Ａの構成を示すブロック図である。
【図１０】図１０（Ａ）、図１０（Ｄ）及び図１０（Ｆ）は、再生画面の一例を示す図であり、図１０（Ｂ）、図１０（Ｃ）及び図１０（Ｅ）は、配信先指定画面の一例を示す図である。
【図１１】図１１は、携帯端末が実行する配信先指定処理を示すフローチャートである。
【発明を実施するための形態】
【０００９】
図１は、本実施形態に係るオーディオシステム１の構成を示す図である。
【００１０】
オーディオシステム１は、建物内に配線された有線ＬＡＮ１００に接続されたＡＶレシーバ２Ａ、ＡＶレシーバ２Ｂ、コンテンツ再生装置３及び無線アクセスポイント（以下、無線ＡＰという）４等を備えている。有線ＬＡＮ１００に接続されるＡＶレシーバ２Ａ、２Ｂ及びコンテンツ再生装置３等の各機器は、建物内の居間又は寝室等、複数の部屋に配置される。
【００１１】
コンテンツ再生装置３は、音楽データ又は映像データ等を含むコンテンツデータを再生する。コンテンツ再生装置３の例としては、テレビ、ディスクプレーヤ、ラジオ、コンテンツデータを記憶する記憶装置、又は自動演奏装置等が挙げられる。以下では、コンテンツ再生装置３は、自動演奏装置、詳しくは自動演奏が可能なピアノ等の楽器として説明する。
【００１２】
図２は、コンテンツ再生装置３の主要構成を示すブロック図である。
【００１３】
コンテンツ再生装置３は、スピーカ３１、制御部３２、ＲＯＭ３３、ＲＡＭ３４、演奏部３５、及び通信Ｉ／Ｆ３６を備えている。
【００１４】
通信Ｉ／Ｆ３６は、有線ＬＡＮ１００に接続される。コンテンツ再生装置３は、通信Ｉ／Ｆ３６を介して、携帯端末５から各種の制御情報を受信する。制御部３２は、受信した制御情報に基づいて、各種の動作を行なう。
【００１５】
制御部３２は、ＲＯＭ３３に記憶されているファームウェアをＲＡＭ３４に読み出すことで、種々の動作を行なう。制御部３２は、例えばＭＩＤＩ規格に基づいたシーケンスデータに従い、旋律パート、及び伴奏パートのデータに基づいて音源（不図示）を駆動させ、デジタルオーディオ信号を生成する。生成されるデジタルオーディオ信号は、例えばスピーカ３１から出力し、また、通信Ｉ／Ｆ３６から、ＡＶレシーバ２Ａ、２Ｂへ出力する。
【００１６】
なお、コンテンツ再生装置３は、各鍵が押されると音を発するアコースティック楽器としても機能する。演奏部３５は、例えばＭＩＤＩ規格に基づいたシーケンスデータに基づいて、各鍵に対応して設けられたハンマーを機械的に駆動させ、自動演奏を行なう。
【００１７】
無線ＡＰ４は無線ＬＡＮを構築する。そして、無線ＡＰ４はユーザが所有する携帯端末５が接続される。携帯端末５は、ラップトップパソコン、スマートフォン、又はタブレット端末等であり、オーディオシステム１内の各機器を操作するコントローラとなる。携帯端末５は、本発明に係る「配信先指定装置」の一例である。
【００１８】
携帯端末５は、図１に示すように、ＣＰＵ５１と、メモリ５２と、通信部５３と、操作受付部５４と、ディスプレイ５５とを備えている。通信部５３は、Wi−Fi（登録商標）規格、Bluetooth（登録商標）規格等の無線信号を入出力する。この通信部５３により、携帯端末５は無線ＡＰ４との通信が可能となる。
【００１９】
操作受付部５４は、ユーザによる操作を受け付ける。操作受付部５４は、操作ボタンであってもよいし、タッチパネルであってもよい。操作受付部５４は、本発明に係る「選択受付部」の一例である。
【００２０】
ディスプレイ５５は各種画面を表示する。ディスプレイ５５は、本発明に係る「配信先指定画面表示部」、「子機表示部」の一例である。
【００２１】
メモリ５２は、ＲＡＭ及びＲＯＭである。メモリ５２は、ＣＰＵ５１が実行するプログラム、演算処理結果、及び通信部５３が受信する情報等を記憶する。ＣＰＵ５１は、メモリ５２からプログラムを読み出し、読み出したプログラムを実行する。
【００２２】
メモリ５２に記憶され、ＣＰＵ５１が実行するプログラムは、本発明に係る「配信先指定プログラム」の一例である。また、本発明に係る「関連情報取得部」、「関連親機特定部」、「選択親機指示部」、「関連親機指示部」、「第１子機情報取得部」、「第２子機情報取得部」及び「禁止部」は、ＣＰＵ５１がメモリ５２に記憶されるプログラムを実行することで実現される。
【００２３】
ＣＰＵ５１は、ディスプレイ５５に設定画面を表示する。ユーザは、表示される設定画面に従い操作することで、コンテンツ再生装置３から出力されるオーディオ信号の配信先を指定することができる。オーディオ信号には、旋律パートのデータ（以下、旋律データという）、及び伴奏パートのデータ（以下、伴奏データという）が含まれる。そして、ユーザは、携帯端末５を操作して、オーディオ信号に含まれる種類毎に配信先を指定できる。後に詳述するが、ＣＰＵ５１は、ＡＶレシーバ２Ａ，２Ｂに対し、配信先に指定された各スピーカへのオーディオ信号の配信を指示する。
【００２４】
ＡＶレシーバ２Ａ、２Ｂは有線ＬＡＮ１００に接続され、コンテンツ再生装置３からオーディオ信号が入力される。ＡＶレシーバ２Ａ、２Ｂは、例えば自装置に接続されたスピーカ（不図示）を介して、入力されたオーディオ信号に基づく音を出力させる。
【００２５】
また、ＡＶレシーバ２Ａ、２Ｂは、接続される無線ルータ、又は自装置が有する無線通信機能を介して、無線ＬＡＮを構築する。そして、無線ネットワークを介して、ＡＶレシーバ２Ａ、２Ｂには、複数のスピーカ２１〜２６が接続される。図１では、ＡＶレシーバ２Ａにはスピーカ２１、２２、２３が接続され、ＡＶレシーバ２Ｂにはスピーカ２４、２５、２６が接続され、スピーカ２１〜２６は建物内の様々な場所に配置される。この例では、スピーカ２１はベッドルームに設置される。スピーカ２２はリビングルームに設置される。スピーカ２３はパティオに設置される。スピーカ２４はキッチンに設置される。スピーカ２５はバルコニーに設置される。スピーカ２６はピロティに設置される。
【００２６】
ユーザは、携帯端末５からの操作により、コンテンツ再生装置３から出力されるオーディオ信号に含まれる旋律データ、伴奏データを、スピーカ２１〜２６のいずれへ配信するかを指定できる。
【００２７】
以下に、携帯端末５によるオーディオ信号の配信先を指定する方法について説明する。
【００２８】
ユーザは、携帯端末５を操作して、スピーカ２１〜２６を、ＡＶレシーバ２Ａを親機とする第１のグループＧ１、又は、ＡＶレシーバ２Ｂを親機とする第２のグループＧ２に分類する。図１に示す例では、ユーザの操作により、スピーカ２１、２２、２３は第１のグループＧ１に分類され、スピーカ２４、２５、２６は第２のグループＧ２に分類された状態を示す。
【００２９】
ＡＶレシーバ２ＡとＡＶレシーバ２Ｂとは関連付けられていて、ＡＶレシーバ２ＡとＡＶレシーバ２Ｂには、関連するオーディオ信号が入力される。本実施形態において、関連するオーディオ信号とは、コンテンツ再生装置３が出力する旋律データと、伴奏データである。つまり、ＡＶレシーバ２ＡとＡＶレシーバ２Ｂとが親機に設定される第１のグループＧ１と、第２のグループＧ２とには、それぞれ関連するオーディオ信号に基づく音が出力される。
【００３０】
以下では、ＡＶレシーバ２Ａには伴奏データのみを含むオーディオ信号が入力され、ＡＶレシーバ２Ｂには、旋律データと伴奏データの両方を含むオーディオ信号が入力されるものとする。この場合、第１のグループＧ１に分類されるスピーカには、伴奏データのみが配信される。第２のグループＧ２に分類されるスピーカには、旋律データ及び伴奏データが配信される。
【００３１】
ＡＶレシーバ２Ａに入力される伴奏データは、本発明の「第１コンテンツ」の一例である。ＡＶレシーバ２Ｂに入力される旋律データと伴奏データは、本発明の「第２コンテンツ」の一例である。
【００３２】
例えば、コンテンツ再生装置３がリビングルームに設置され、ベッドルームと、パティオの各場所が、リビングルームに近い場合、これら各場所にいる人には、コンテンツ再生装置３から直接出力されるアコースティック音、又は旋律パートの電子音が聞こえることがある。このため、ベッドルームと、リビングルームと、パティオには伴奏音のみを出力すれば、これらの各場所にいる人は、旋律音と伴奏音の両方を聞くことができる。
【００３３】
そこで、ユーザは、スピーカ２１、２２、２３を、第１のグループＧ１に分類する。これにより、スピーカ２１、２２、２３には伴奏データのみが配信され、リビングルーム、ベッドルームと、パティオには伴奏音のみが出力される。
【００３４】
キッチンと、バルコニーと、ピロティの各場所が、コンテンツ再生装置３の設置場所（リビングルーム）から離れている場合、これら各場所にいる人には、コンテンツ再生装置３から直接出力されるアコースティック音、又は旋律パートの電子音が聞こえない。このため、キッチンと、バルコニーと、ピロティには旋律音と伴奏音との両方を出力する。そうすることで、これらの各場所にいる人は、ベッドルームと、リビングルームと、パティオの各場所にいる人と同じように、旋律音と伴奏音の両方を聞くことができる。
【００３５】
そこで、ユーザは、スピーカ２４、２５、２６を、第２のグループＧ２に分類する。これにより、スピーカ２４、２５、２６には旋律データと伴奏データの両方が配信され、キッチンと、バルコニーと、ピロティには旋律音と伴奏音の両方が出力される。
【００３６】
図３（Ａ）、図３（Ｂ）、図３（Ｃ）及び図３（Ｄ）は、配信先指定画面の一例を示す図である。
【００３７】
図３（Ａ）及び図３（Ｂ）は、ユーザが、配信先指定画面を読み出す操作を行うと最初に表示される画面を示す。この画面では、「Group G1」、「Group G2」、「Bedroom」、「Patio」等、デジタル信号の配信先の一覧が選択可能に表示される。なお、図３（Ａ）及び図３（Ｂ）に示す画面は同じものであり、選択状態が異なっている。
【００３８】
図３（Ａ）及び図３（Ｂ）に示す画面において、「Group G1」は、ＡＶレシーバ２Ａを親機とする第１のグループＧ１を表し、「Group G2」は、ＡＶレシーバ２Ｂを親機とする第２のグループＧ２を表す。
【００３９】
前記のように、ＡＶレシーバ２ＡとＡＶレシーバ２Ｂ、つまり、第１のグループＧ１と、第２のグループＧ２とは関連付けられている。そして、図４（Ａ）のように、「Group G1」を選択しても、図３（Ｂ）のように、「Group G2」を選択しても、図３（Ｃ）の画面が表示されるようになっている。
【００４０】
図３（Ａ）のように、「Group G1」が選択される場合、ＡＶレシーバ２Ａは、本発明に係る「選択親機」の一例であり、ＡＶレシーバ２Ｂは、本発明に係る「関連親機」の一例である。図３（Ｂ）のように、「Group G2」が選択される場合、ＡＶレシーバ２Ｂは、本発明に係る「選択親機」の一例であり、ＡＶレシーバ２Ａは、本発明に係る「関連親機」の一例である。
【００４１】
図３（Ｃ）の画面は、スピーカ２１〜２６をグループ分けして、デジタル信号の配信先を指定する分類画面である。この画面では、スピーカ２１〜２６の設置場所が一覧表示されていて、各場所を、第１のグループＧ１と、第２のグループＧ２との何れに分類するかの設定が行える。
【００４２】
例えば、「Bedroom」の項目で、「G1」の欄をチェックすると、ベッドルームのスピーカ２１を、第１のグループＧ１に分類できる。この場合、ベッドルームのスピーカ２１には、ＡＶレシーバ２Ａが親機として登録される。そして、ＡＶレシーバ２Ａに対して、ＡＶレシーバ２Ａに分類されるスピーカ２１へのオーディオ信号の配信が指示される。
【００４３】
また、「Kitchen」の項目で、「G2」の欄をチェックすると、キッチンのスピーカ２４を、第２のグループＧ２に分類できる。この場合、キッチンのスピーカ２４には、ＡＶレシーバ２Ｂが親機として登録される。そして、ＡＶレシーバ２Ｂに対して、ＡＶレシーバ２Ｂに分類されるスピーカ２４へのオーディオ信号の配信が指示される。
【００４４】
なお、「Bedroom」の項目で、「G1」の欄のチェックを解除し、「G2」の欄をチェックした場合、第１のグループＧ１に分類されていたベッドルームのスピーカ２１は、第２のグループＧ２に分類される。この場合、ベッドルームのスピーカ２１に親機登録されているＡＶレシーバ２Ａが解除され、ＡＶレシーバ２Ｂが親機として登録される。
【００４５】
また、例えば、ベッドルームのスピーカ２１が、第１のグループＧ１及び第２のグループＧ２のいずれにも分類可能である場合、図３（Ｃ）の画面では、「Bedroom」の項目で、「G1」の欄と、「G2」の欄の両方にチェックできないようにしてある。これにより、一つのスピーカを、同時に別々のグループに分類され、一つのスピーカに対して異なるデジタル信号が配信されることを防止できる。
【００４６】
このように、一つの画面で、複数のスピーカ２１〜２６を、２つのグループ（第１のグループＧ１と第２のグループＧ２）に同時に分類できる。このため、ユーザは、第１のグループＧ１に分類するための画面と、第２のグループＧ２に分類するための画面とを切り替える操作を行う必要がなく、簡単にスピーカ２１〜２６のグループ分けを行える。そして、ユーザは、どのスピーカを、どのグループに分類したかを一目で把握できる。
【００４７】
また、図３（Ｃ）の画面で、各スピーカ２１〜２６に対して、ＡＶレシーバ２Ａ、２Ｂの親機登録、登録解除を行えるため、ユーザは、スピーカ２１〜２６毎に、親機登録、解除を行う手間を省くことができる。
【００４８】
さらに、図３（Ｃ）の画面で、グループ分けする各スピーカ２１〜２６を、機器名で表示してもよいが、設置場所を表示することで、ユーザは、デジタル信号の配信先をより把握し易くなる。
【００４９】
なお、図３（Ｄ）の画面に示すように、グループ名「G1」、「G2」を表示しているが、出力するデジタル信号を表示するようにしてもよい。この画面では、グループ名に変えて、配信するデジタル信号の種類「伴奏」、「旋律＋伴奏」が表示される。そして、この画面では、スピーカ２１〜２６の設置場所が一覧表示されていて、各場所に、「伴奏」のみを出力するのか、「旋律＋伴奏」を出力するかの設定が行える。この場合、図３（Ｃ）のグループ名を表示する場合と比べて、ユーザは、どのスピーカから、どの音を出力するかを把握し易い。
【００５０】
なお、この例では、ＡＶレシーバ２Ａには伴奏データ、ＡＶレシーバ２Ｂには、旋律データ及び伴奏データを入力するものとして説明しているが、例えば、図３（Ｃ）又は図３（Ｄ）の画面で、ＡＶレシーバ２Ａ、２Ｂに入力するデジタル信号の種類を設定できるようにしてもよい。
【００５１】
このように、一のグループ（例えば、第１のグループＧ１）を選択すると、それに関連する他のグループ（例えば、第２のグループＧ２）も特定できる。そして、オーディオ信号の配信先スピーカを指定する配信先指定画面を表示することで、ユーザは、第１のグループＧ１と、第２のグループＧ２に入力されるコンテンツが、どのスピーカに配信されるかの配信先の把握が容易となる。
【００５２】
図４は、携帯端末５が実行する配信先指定処理を示すフローチャートである。
【００５３】
携帯端末５のＣＰＵ５１は、機器情報を取得する（Ｓ１）。機器情報とは、有線ＬＡＮ１００に接続される機器であって、デジタル信号の配信先となり得る機器に関する情報である。これら機器として、例えばＡＶレシーバ２Ａ、２Ｂがある。この機器の情報には、機器名、機器の設置場所、機器を特定する固有情報（ＭＡＣアドレス、ＩＰアドレス等）、機器の子機となり得る機器の情報（子機情報）等が含まれる。機器情報は、携帯端末５のメモリ５２に記憶されていてもよいし、外部機器に記憶されていてもよい。この外部機器には、コンテンツ再生装置３、ＡＶレシーバ２Ａ、又は有線ＬＡＮ１００からインターネットを介して接続されるサーバ装置（不図示）等が含まれる。
【００５４】
ＣＰＵ５１は、関連情報を取得する（Ｓ２）。関連情報は、Ｓ１で取得した機器の関連性を示す情報である。機器の関連性を示す情報とは、例えば、前記した関連するオーディオ信号が入力される機器を紐づける情報である。本実施形態では、伴奏データのみが入力されるＡＶレシーバ２Ａと、旋律データと伴奏データが入力されるＡＶレシーバ２Ｂである。関連情報では、関連する機器を紐づける情報として、例えばＭＡＣアドレス、又はＩＰアドレス等の固有情報を用い、これらの固有情報を紐付けている。関連情報は、メモリ５２に記憶されていてもよいし、外部機器に記憶されていてもよい。この外部機器には、コンテンツ再生装置３、ＡＶレシーバ２Ａ、又は有線ＬＡＮ１００からインターネットを介して接続されるサーバ装置（不図示）等が含まれる。
【００５５】
ＣＰＵ５１は、ディスプレイ５５に、配信先指定画面を表示する（Ｓ３）。ここでは、ＣＰＵ５１は、図３（Ａ）及び図３（Ｂ）に示す画面を表示する。ＣＰＵ５１は、図３（Ａ）及び図３（Ｂ）に示す画面での選択を受け付けたか否かを判定する（Ｓ４）。選択を受け付けない場合（Ｓ４：ＮＯ）、ＣＰＵ５１は、選択を受け付けるまで待機する。
【００５６】
選択を受け付けた場合（Ｓ４：ＹＥＳ）、ＣＰＵ５１は、Ｓ２で取得した関連情報に基づいて、Ｓ１で取得した機器情報に含まれる機器の関連性を特定する（Ｓ５）。前記のように、この例では、ＡＶレシーバ２Ａ、２Ｂは関連付けられている。そして、ＣＰＵ５１は、グループ名「G1」又はグループ名「G2」のいずれが選択されても、スピーカ２１〜２６をグループ分けする図３（Ｃ）又は図３（Ｄ）に示す分類画面を表示する（Ｓ６）。
【００５７】
そして、ＣＰＵ５１は、ユーザの操作に応じて、デジタル信号の配信先の指定を受け付けて、スピーカ２１〜２６を第１のグループＧ１又は第２のグループＧ２に分類する（Ｓ７）。このとき、ＣＰＵ５１は、ＡＶレシーバ２Ａ、２Ｂへのオーディオ信号の出力を指示する。また、ＣＰＵ５１は、選択されたスピーカ２１〜２６に対して、ＡＶレシーバ２Ａ又はＡＶレシーバ２Ｂを親機として登録させる制御信号、又は、登録を解除させる制御信号を出力する。
【００５８】
なお、Ｓ４において、グループ名「G1」又は「G2」が選択されず、例えば、図３（Ａ）に示す「Bedroom」が選択された場合、ＣＰＵ５１は、ベッドルームのスピーカ２１をデジタル信号の配信先に指定する処理を行う。このとき、ベッドルームのスピーカ２１へ配信するデジタル信号の種類を設定できるようにしてもよい。
【００５９】
以上説明したように、本実施形態に係るオーディオシステム１では、関連するＡＶレシーバ２Ａ、２Ｂの何れを選択しても、それぞれに子機に設定できるスピーカが選択可能に表示される。これにより、グループ毎に異なるデジタル信号を配信する際に、ユーザは、一つの画面で、グループ毎に設定する配信先の設定、及び、その配信先の確認が容易となる。
【００６０】
なお、本実施形態では、第１のグループＧ１と第２のグループＧ２とには、内容が異なるデジタル信号が出力されるようにしているが、同じ種類のデジタル信号であって、その音質を変えて出力されるようにしてもよい。例えば、第１のグループＧ１には、重低音を利かせた旋律データと伴奏データを出力し、第２のグループＧ２には、音量を大きくした伴奏データと、音量を小さくした旋律データとを出力するようにしてもよい。
【００６１】
また、コンテンツ再生装置３は自動演奏装置として説明したが、上述のように、ＤＶＤプレーヤ等のディスクプレーヤ又はテレビ等であってもよい。
【００６２】
この場合、第１のグループＧ１と、第２のグループＧ２にはデジタル音声の各チャンネル音声を出力するようにしてもよい。例えば、第１のグループＧ１にはフロント左チャンネル及びフロント右チャンネルの音声を出力し、第２のグループＧ２にはサラウンド左チャンネル及びサラウンド右チャンネルの音声を出力するようにしてもよい。また、例えば、第１のグループＧ１には映画のオリジナル音声を出力し、第２のグループＧ２には映画の吹き替え音声を出力するようにしてもよい。
【００６３】
また、本実施形態では、２つのグループに分類しているが、グループの数は３以上であってもよい。また、ＡＶレシーバ２Ａ、２Ｂからの配信先子機をスピーカ２１〜２６としているが、テレビ等、音声を出力する機器であればよい。
【００６４】
また、スピーカ２１〜２６には、有線又は無線によりさらに機器が接続されてもよい。この場合、図３（Ｃ）に示す画面において、子機であるスピーカ２１〜２６に接続される機器は表示しないように構成することが好ましい。これにより、例えば、第１のグループＧ１に分類されるスピーカ２１に接続される機器が、第２のグループＧ２に分類される機器の設置場所に設置されている場合、第２のグループＧ２に、異なるデジタル信号が出力されることを回避できる。
【００６５】
本実施形態では、親機はＡＶレシーバ２Ａ，２Ｂとし、子機はスピーカ２１〜２６としたが、特にこれに限定されない。親機は、入力されるオーディオ信号を、有線又は無線により接続される機器に対して配信できる機器あればよい。また、子機は、有線又は無線により接続される機器からオーディオ信号を入力され、その入力されたオーディオ信号に基づいて放音できる機器であればよい。
【００６６】
次に、図５（Ａ）、図５（Ｂ）、図５（Ｃ）、図５（Ｄ）及び図５（Ｅ）は、第２実施形態に係る配信先指定画面の一例を示す図である。図３（Ａ）、図３（Ｂ）、図３（Ｃ）及び図３（Ｄ）で示した配信先指定画面では、１つの画面内で複数の親機（例えばＡＶレシーバ２Ａ及びＡＶレシーバ２Ｂ）の登録または解除を行う態様であったが、第２実施形態に係る配信先指定画面においては、各親機に対する配信先指定画面を順に表示する態様である。
【００６７】
図１１は、第２実施形態に係る携帯端末５の動作を示すフローチャートである（図４の第１実施形態のフローチャートに対応する）。図１１に示すように、携帯端末５は、まず選択された親機の配信先指定画面に移行し（Ｓ６１）、配信先の指定を受け付ける（Ｓ７）。その後、他の親機が有るか否かを判断し（Ｓ６２）、他の親機があれば、当該他の親機の配信先指定画面に移行する（Ｓ６２のＹＥＳ）。全ての親機について配信先の指定が完了した場合に、動作を終了する。例えば、図５の例では、「Group G1」は、ＡＶレシーバ２Ａを親機とする第１のグループＧ１を表し、「Group G2」は、ＡＶレシーバ２Ｂを親機とする第２のグループＧ２を表す。第２実施形態では、図５（Ａ）のように、ユーザが「Group G1」を選択すると、携帯端末５は、図５（Ｂ）に示すようにＡＶレシーバ２Ａの配信先指定画面に移行する。その後、配信先の指定が完了すると、携帯端末５は、図５（Ｃ）に示すように、ＡＶレシーバ２Ｂの配信先指定画面に移行する。
【００６８】
なお、図５（Ｃ）に示すように、既に配信先に指定されたスピーカ（この例では、「Bedroom」及び「Livingroom」）は、チェックできないようにしてもよい。これにより、一つのスピーカが同時に複数のグループに属することを防止し、一つのスピーカに値して異なるデジタル信号が配信されることを防止できる。
【００６９】
１つの配信先指定画面内で多数の関連親機（多数のグループ）を同時に表示すると、選択操作が困難となる可能性があるが、第２実施形態では、各親機に対する配信先指定画面を順に表示するため、関連する親機の数が多くなった場合であっても、選択操作が容易となる。
【００７０】
また、第２実施形態では、１つの親機の配信先の指定が完了すると、続けて自動的に他の親機の配信先指定画面に移行する。すなわち、第２実施形態では、図５（Ｂ）においてＡＶレシーバ２Ａの配信先の設定が完了した後に、図５（Ａ）の画面に戻らずに次の関連親機であるＡＶレシーバ２Ｂの配信先指定画面に移行する。したがって、ユーザは、第１のグループＧ１の配信先指定画面と、第２のグループＧ２の配信先指定画面とを切り替える操作を行う必要もない。これにより、従来よりもユーザの操作量が低減されている。
【００７１】
なお、図５（Ｄ）のように、ユーザが「Group G2」を選択すると、携帯端末５は、図５（Ｅ）に示すようにＡＶレシーバ２Ｂの配信先指定画面に移行する。その後、配信先の指定が完了すると、図５（Ｆ）に示すように、携帯端末５は、ＡＶレシーバ２Ａの配信先指定画面に移行する。
【００７２】
ただし、「Group G2」を選択した場合でも図５（Ｂ）に示すＡＶレシーバ２Ａの配信先指定画面に移行してもよいし、「Group G1」を選択した場合でも図５（Ｅ）に示すＡＶレシーバ２Ｂの配信先指定画面に移行してもよい。
【００７３】
また、図６（Ａ）に示す「連携Link」ボタンのように、関連親機の配信先指定画面に移行するための専用ボタンを用意し、配信先指定画面への移行を指示する移行操作を受け付けてもよい。この場合、ユーザが「連携Link」を選択すると、携帯端末５は、まず図６（Ｂ）に示すようにＡＶレシーバ２Ａの配信先指定画面に移行する。その後、ユーザが配信先の指定を完了させると、携帯端末５は、図６（Ｃ）に示すように、ＡＶレシーバ２Ｂの配信先指定画面に移行する。
【００７４】
関連親機の表示順は、ランダムであってもよいが、所定の規則にしたがって、表示してもよい。この場合、携帯端末５は、「連携Link」の選択により移行操作を受け付けた時に、所定の規則にしたがって、複数の親機のうちいずれか一つの親機の選択する（当該親機を選択する動作は、図１１のＳ４に対応する）。携帯端末５は、例えば、関連情報に含まれる優先順位を示す情報に基づいて、複数の親機のうちいずれか１つの親機を選択する。ここでは、関連情報において、ＡＶレシーバ２Ａの優先順位が１位であり、ＡＶレシーバ２Ｂの優先順位が２位となっているため、携帯端末５は、まずＡＶレシーバ２Ａの配信先指定画面に移行する。あるいは、携帯端末５は、ＭＡＣアドレス又はＩＰアドレス等の固有情報を用いて、例えば番号の小さい機器から順に、配信先指定画面に移行してもよい。無論、携帯端末５は、ランダムに複数の親機のうちいずれか一つの親機の選択を受け付ける態様としてもよい。ただし、ランダムに選択すると、ユーザが「連携Link」ボタンを押した時に、毎回異なる機器の配信先指定画面に移行する可能性があるため、所定の規則にしたがっていずれか一つの親機を選択することが好ましい。
【００７５】
なお、携帯端末５は、全ての機器の配信先の設定が完了した後に、図７（Ｄ）に示すような確認画面を表示してもよい。確認画面では、全ての親機について、それぞれの配信先が表示されるため、ユーザは、どのスピーカを、どのグループに分類したかを一目で把握できる。なお、確認画面は、各親機の選択後（または「連携Link」の選択後）に表示してもよい。この場合、ユーザは、現在の配信先の設定を確認することができる。
【００７６】
また、図８（Ｂ）および図８（Ｃ）に示すように、携帯端末５は、配信先指定画面内において、全親機の数に対して、現在設定中の親機が何番目であるかを示す情報を表示してもよい。例えば、ＡＶレシーバ２Ａの配信先指定画面においては、図８（Ｂ）に示すように、「１／２」と表示されていることで、ユーザは、全親機の数が２機であり、現在は１機目の配信先指定画面であることを確認することができる。
【００７７】
次に、図９（Ａ）は、ＡＶレシーバ２Ａに複数の装置が接続され、複数の入力先がある場合のオーディオシステムの構成を示すブロック図である。図９（Ｂ）は、ＡＶレシーバ２Ａの構成を示すブロック図である。ＡＶレシーバ２Ａは、コンテンツ再生装置３と同じ構成を有し、同じ機能を有するが、この例では、入力Ｉ／Ｆ３７をさらに備えている。
【００７８】
図１の例では、ＡＶレシーバ２Ａ及びＡＶレシーバ２Ｂは、それぞれコンテンツ再生装置３を入力先として、該コンテンツ再生装置３からオーディオ信号を入力する例を示しているが、この例では、ＡＶレシーバ２Ａ（又はＡＶレシーバ２Ｂ）は、複数の機器からオーディオ信号を入力し、入力先を切り替えることで、所定のコンテンツを再生する。
【００７９】
入力Ｉ／Ｆ３７は、ＨＤＭＩ（登録商標）端子、ＵＳＢ端子、デジタルオーディオ端子又はアナログオーディオ端子等の複数のインタフェースを有する。また、Ｂｌｕｅｔｏｏｔｈ（登録商標）又はＮＦＣ等の近接ネットワーク通信インタフェースも、入力Ｉ／Ｆ１０１に含まれる。
【００８０】
ＡＶレシーバ２Ａには、ＳＴＢ（セットトップボックス）３００及びＢＤプレーヤ３０１が接続され、かつコンテンツ再生装置３が接続されている。ユーザは、ＡＶレシーバ２Ａのユーザインタフェース（不図示）又は携帯端末５を操作して、入力先をＳＴＢ３００、ＢＤプレーヤ３０１又はコンテンツ再生装置３のいずれかに切り替えることができる。
【００８１】
そして、この例では、携帯端末５は、各親機のそれぞれに対して、入力先を変更する指示情報を送信する。すなわち、携帯端末５のＣＰＵ５１は、指示情報送信部として機能する。指示情報は、例えば、配信先指定画面において、ユーザが配信先の指定を完了させた時に送信される。例えば、図５（Ｂ）に示したＡＶレシーバ２Ａの配信先指定画面において、ユーザが「ＯＫ」ボタンを押した時、携帯端末５は、ＡＶレシーバ２Ａに対して、入力先をコンテンツ再生装置３に変更させるための指示情報を送信する。ＡＶレシーバ２Ａは、受信した指示情報に基づいて、入力先をコンテンツ再生装置３に変更する。また、図５（Ｃ）に示したＡＶレシーバ２Ｂの配信先指定画面において、ユーザが「ＯＫ」ボタンを押した時、携帯端末５は、ＡＶレシーバ２Ｂに対して、入力先をコンテンツ再生装置３に変更させるための指示情報を送信する。ＡＶレシーバ２ＡおよびＡＶレシーバ２Ｂは、受信した指示情報に基づいて、入力先をコンテンツ再生装置３に変更する。
【００８２】
これにより、仮にＡＶレシーバ２Ａが他の機器（例えばＢＤプレーヤ３０１）を入力先として、該他の機器のオーディオ信号を再生していた場合であっても、コンテンツ再生装置３から入力したオーディオ信号を配信する親機として設定された場合には、入力先をコンテンツ再生装置３に自動的に切り替えることができる。
【００８３】
なお、指示情報の送信タイミングは、各親機に対する配信先子機の指定が完了した場合に限るものではない。例えば、全ての親機に対する配信先子機の指定が完了した場合であってもよい。ただし、各親機の指定が完了した時点で入力先が切り替わることで、ユーザは、指定処理が適切になされたことを確認することができる。
【００８４】
次に、図１０（Ａ）は、コンテンツ再生装置３の再生画面（Ｎｏｗ  Ｐｌａｙｉｎｇ画面）の一例を示す図である。再生画面は、携帯端末５において表示される。再生画面は、再生しているコンテンツのアルバムアート等を表示する画面である。また、ユーザが、音量の変更、再生停止、または再生位置の指定等を操作を行なうための画面である。ユーザが音量の変更、再生停止、または再生位置の指定等の操作を行なった場合、携帯端末５は、対象機器（この例ではコンテンツ再生装置３）に対して、これら操作に係る情報を送信する。対象機器は、受信した情報に応じて、音量の変更、再生停止、または再生位置の指示を行なう。
【００８５】
携帯端末５は、再生画面において、上述の「連携Ｌｉｎｋ」に対応するシンボル画像５０２を表示する。携帯端末５は、再生画面において、シンボル画像が選択された場合に、図１０（Ｂ）および図１０（Ｃ）に示すように、配信先指定画面に移行する。携帯端末５は、上述のように、優先順位等の所定の規則にしたがって、例えば図１０（Ｂ）に示すように、ＡＶレシーバ２Ａの配信先指定画面に移行する。その後、ユーザが配信先の指定を完了させると、携帯端末５は、図１０（Ｃ）に示すように、ＡＶレシーバ２Ｂの配信先指定画面に移行する。
【００８６】
一方で、図１０（Ｄ）は、ＡＶレシーバ２Ａの再生画面の一例を示す図である。図１０（Ｄ）に示すように、携帯端末５は、親機であるＡＶレシーバ２Ａ（またはＡＶレシーバ２Ｂ）の再生画面においても、シンボル画像５０３を表示してもよい。ただし、親機であるＡＶレシーバ２Ａの再生画面においてシンボル画像５０３が指定され、図１０（Ｅ）に示すような配信先指定画面に移行した場合には、ユーザが配信先の指定を完了させると、携帯端末５は、図１０（Ｆ）に示すように、再び再生画面に戻り、他の親機の配信先指定画面には移行しない。
【００８７】
このように、携帯端末５は、コンテンツ再生装置３のように、関連する複数の親機に対してオーディオ信号を出力する機器の再生画面において配信先指定画面に移行する指示を受け付けた場合には、関連する親機の配信先指定画面を順に表示して、ＡＶレシーバ２Ａ等のオーディオ信号を入力する機器の再生画面において配信先指定画面に移行する指示を受け付けた場合には、各機器の配信先指定画面だけを表示するようにしてもよい。
【符号の説明】
【００８８】
Ｇ１…第１のグループ
Ｇ２…第２のグループ
１…オーディオシステム
２Ａ…ＡＶレシーバ
２Ｂ…ＡＶレシーバ
３…コンテンツ再生装置
４…無線ＡＰ
５…携帯端末
２１…スピーカ
２２…スピーカ
２３…スピーカ
２４…スピーカ
２５…スピーカ
２６…スピーカ
３１…スピーカ
３２…制御部
３３…ＲＯＭ
３４…ＲＡＭ
３５…演奏部
３６…Ｉ／Ｆ
５１…ＣＰＵ
５２…メモリ
５３…通信部
５４…操作受付部
５５…ディスプレイ
１００…有線ＬＡＮ
【図１】
2017221440.tif 000003
【図２】
2017221440.tif 000004
【図３】
2017221440.tif 000005
【図４】
2017221440.tif 000006
【図５】
2017221440.tif 000007
【図６】
2017221440.tif 000008
【図７】
2017221440.tif 000009
【図８】
2017221440.tif 000010
【図９】
2017221440.tif 000011
【図１０】
2017221440.tif 000012
【図１１】
2017221440.tif 000013
【国際調査報告】
2017221440.tif 000014
2017221440.tif 000015
2017221440.tif 000016